(57)【要約】【課題】摩擦によるプレーヤーに対する傷害を避けることができ、快適で且つ安全に使用することができるスリップと摩擦を防止可能なゴルフクラブのグリップを提供する。【解決手段】スリップと摩擦を防止可能なゴルフクラブのグリップは、グリップ本体１とコットンヤーン層２を備え、グリップ本体１の上部表面には、間隔を開けてコットンヤーン層２を付着させ、コットンヤーン層２は、縦の棒状を呈し、縦の棒状コットンヤーン層２は直線型或いは弧状で、下端は平坦に揃っているか、或いは弧状を呈し、しかもグリップ本体１は単色或いは二色で、これにより、スリップを確実に防止しつつ、上方を握る手の平及び指との摩擦を適当に減らすと同時に、クラブ下部を握る指に対しては、その位置にコットンヤーンが無いため、クラブとの摩擦は小さくなる。【選択図】図１
0003155821.tif 000002
【実用新案登録請求の範囲】
【請求項１】
グリップ本体、とコットンヤーン層と、を備えたスリップと摩擦を防止可能なゴルフクラブのグリップであって、
前記グリップ本体の上部表面には、間隔を開けて前記コットンヤーン層を付着させ、
前記コットンヤーン層は、軸方向に沿って前記グリップ本体の上部表面に付着し、しかも縦の棒状を呈し、相互に隣接する前記縦の棒状コットンヤーン層の間には、コットンヤーンを配置しないように構成したことを特徴とする、スリップと摩擦を防止可能なゴルフクラブのグリップ。
【考案の詳細な説明】
【技術分野】
【０００１】
本考案はゴルフクラブに係り、特にスリップと摩擦を防止可能なゴルフクラブのグリップに関する。
【背景技術】
【０００２】
従来のゴルフクラブのグリップは、コットンヤーンがないか、あったとしても上部にだけコットンヤーンがあるものばかりであった。
【０００３】
コットンヤーンの配置が全体的でないゴルフクラブのグリップは、図５に示すように、両手の手の平及び指との摩擦力が小さく、打球時にスリップし易く、打球効果に影響を及ぼす。
【０００４】
一方、コットンヤーンが全体的に配置されているゴルフクラブのグリップでは、図６に示すように、両手の手の平及び指との摩擦力が共に増大するため、打球時にはスリップせず、打球効果を高めることができる。
【０００５】
しかし、クラブ下方を握る（右利きであれば右手）指は、クラブを振り抜く時、用いる力が大きいため、コットンヤーンと摩擦し疼痛を起こし易く、ひどい場合には、皮がむけ、プレーヤーに対して傷害を及ぼす。
【０００６】
さらに、上部にだけコットンヤーンを配置するゴルフクラブのグリップは、図７に示すように、クラブ上方を握る（右利きであれば左手の）手の平及び指と、コットンヤーンを備える上部との摩擦力が大きいため、打球時には、スリップが起きず、打球効果を向上させることができる。
【０００７】
しかも、クラブ下部を握る（右利きであれば右手の）指においては、コットンヤーンがないため、クラブを振り抜く時の摩擦力が比較的小さく、プレーヤーに対して傷害を及ぼす恐れを減らすことができる。
【０００８】
しかし、上部全体にはコットンヤーンを備えるため、上方を握る手の平及び指との摩擦力はやはりかなり大きく、スリップを回避することはできるが、長時間握っていれば摩擦により疼痛が生じ、皮がむけ、プレーヤーに対する傷害の危険は依然として存在する。
【０００９】
本考案は、従来のグリップ構造の上記した欠点に鑑み、打球時のスリップを防止可能で、またコットンヤーンの摩擦を防止可能なグリップ構造を提供するものである。
【考案の概要】
【考案が解決しようとする課題】
【００１０】
本考案が解決しようとする課題は、打球時にスリップせず、打球効果が良好で、しかも、プレーヤーに対する摩擦による傷害を回避することができるスリップと摩擦を防止可能なゴルフクラブのグリップを提供することである。
【課題を解決するための手段】
【００１１】
上記課題を解決するため、本考案は下記のスリップと摩擦を防止可能なゴルフクラブのグリップを提供する。すなわち、スリップと摩擦を防止可能なゴルフクラブのグリップは、グリップ本体とコットンヤーン層を備え、該グリップ本体の上部表面には、間隔を開けてコットンヤーン層を付着させ、該コットンヤーン層は、軸方向に沿って該グリップ本体の上部表面に付着し、しかも、縦の棒状を呈し、相互に隣接する該縦の棒状コットンヤーン層の間には、コットンヤーンを配置せず、該縦の棒状コットンヤーン層は直線型或いは弧状で、該縦の棒状コットンヤーン層の下端は、平坦に揃っているか、或いは弧状を呈し、該グリップ本体は、上部と下部との色が相同である単色本体であるか、又は上部と下部との色が異なる二色本体であり、上部にのみコットンヤーンを備え、クラブ上方を握る手の平及び指とコットンヤーンとの摩擦力だけが大きいため、打球時にスリップが起きず、打球効果を向上させることができ、しかも、コットンヤーンは間隔を開けて上部に付着するため、スリップを確実に防止しながら、上方を握る手の平及び指との摩擦を適当に減らすことができ、こうして、長時間握っても、摩擦により疼痛が生じ、さらには皮がむけることはなくなり、同時に、クラブを振り抜く時、クラブ下部を握る指は、その位置にコットンヤーンが無いために摩擦は小さく、すなわち、摩擦により疼痛が生じ、ひどい場合には皮がむけるような傷害の発生を回避することができる。
【考案の効果】
【００１２】
本考案のスリップと摩擦を防止可能なゴルフクラブのグリップは、摩擦によるプレーヤーに対する傷害を避けることができ、快適、安全な使用を提供することができる。
【図面の簡単な説明】
【００１３】
【図１】コットンヤーン層は縦の棒状、直線型を呈し、しかも下端は平坦に揃っており、グリップ本体は単色である本考案第一実施例の構造を示す模式図である。
【図２】図１の局部断面図である。
【図３】コットンヤーン層は縦の棒状、弧状で、しかも下端は弧状で、グリップ本体は単色である本考案第二実施例の構造を示す模式図である。
【図４】コットンヤーン層は縦の棒状、弧状を呈し、しかも下端は弧状で、グリップ本体は二色である本考案第三実施例の構造を示す模式図である。
【図５】コットンヤーンが全く無い、従来のゴルフクラブのグリップを示す模式図である。
【図６】コットンヤーンが全体的に配置されている、従来のゴルフクラブのグリップを示す模式図である。
【図７】上部にだけコットンヤーンを配置する、従来のゴルフクラブのグリップを示す模式図である。
【考案を実施するための形態】
【００１４】
以下に図面を参照しながら本考案を実施するための最良の形態について詳細に説明する。
【実施例１】
【００１５】
図１、２に示すように、本考案の第一実施例は、グリップ本体１とコットンヤーン層２を備える。グリップ本体１は、上部と下部との色が相同である単色本体である。コットンヤーン層２は、縦の棒状を呈し、軸方向に沿ってグリップ本体１の上部表面に付着する。相互に隣接する縦の棒状コットンヤーン層２の間には、コットンヤーンを配置せず、これによりすべてのコットンヤーン層２は、間隔を開けて排列し、グリップ本体１上部に付着する。縦の棒状コットンヤーン層２は直線型で、しかも、縦の棒状コットンヤーン層２の下端は平坦に揃っている。
【実施例２】
【００１６】
図３に示すように、本考案の第二実施例は、グリップ本体１とコットンヤーン層２を備える。グリップ本体１は上部と下部との色が相同である単色本体である。コットンヤーン層２は、縦の棒状を呈し、径方向に沿ってグリップ本体１の上部表面に付着する。相互に隣接する縦の棒状コットンヤーン層２の間には、コットンヤーンを配置せず、これによりすべてのコットンヤーン層２は、間隔を開けて排列し、グリップ本体１の上部に付着する。縦の棒状コットンヤーン層２は弧状で、しかも、縦の棒状コットンヤーン層２の下端は弧状を呈する。
【実施例３】
【００１７】
図４に示すように、本考案の第三実施例は、グリップ本体１とコットンヤーン層２を備える。グリップ本体１は上部と下部との色が異なる二色本体である。コットンヤーン層２は、縦の棒状を呈し、径方向に沿ってグリップ本体１の上部表面に付着する。相互に隣接する縦の棒状コットンヤーン層２の間には、コットンヤーンを配置せず、これによりすべてのコットンヤーン層２は、間隔を開けて排列し、グリップ本体１の上部に付着する。縦の棒状コットンヤーン層２は弧状で、しかも、縦の棒状コットンヤーン層２の下端は弧状を呈する。
【００１８】
本考案は主に、グリップ本体１の上部表面だけに、間隔を開ける方式でコットンヤーン層２を付着させ、これにより、スリップを確実に防止しながら、上方を握る手の平及び指との摩擦を適当に減らすことができる。こうして、長時間握ることで摩擦により疼痛が生じ、さらには皮がむけることを回避し、同時に、クラブを振り抜く時、クラブ下部を握る指は、コットンヤーンが無いために摩擦は小さく、これにより摩擦により疼痛が生じ、ひどい場合には皮がむけるような傷害の発生を回避することができる。よって、本考案は摩擦によるプレーヤーに対する傷害を避けることができ、快適、安全な使用を提供することができる。
【００１９】
上記の本考案名称と内容は、本考案技術内容の説明に用いたのみで、本考案を限定するものではない。コットンヤーン層２はあらゆる形態が可能で、グリップ本体表面も、斜め模様、直線模様、或いは他の模様とすることができ、また単色、二色、さらには三色以上とすることもできるが、これら本考案の精神に基づく等価応用或いは部品（構造）の転換、置換、数量の増減はすべて、本考案の保護範囲に含むものとする。
【産業上の利用可能性】
【００２０】
本考案は実用新案の要件である新規性を備え、従来の同類製品に比べ十分な進歩を有し、実用性が高く、社会のニーズに合致しており、産業上の利用価値は非常に大きい。
【符号の説明】
【００２１】
１    本体
２    コットンヤーン層
【図１】
0003155821.tif 000003
【図２】
0003155821.tif 000004
【図３】
0003155821.tif 000005
【図４】
0003155821.tif 000006
【図５】
0003155821.tif 000007
【図６】
0003155821.tif 000008
【図７】
0003155821.tif 000009